(57)【要約】【課題】  各種サイズの冊子類の表面に樹脂製のフィルムカバーを自動的に貼り付けるフィルムカバー貼付けシステムに組み込まれ、冊子類の表紙を開いた状態で搬送して、当該表紙に貼り付けたフィルムカバーに対する各種作業を効率的に行えるようにする。【解決手段】  中身２７を中心にして両側におもて表紙２１とうら表紙２２があり、これら中身２７、おもて表紙２１及びうら表紙２２が背２３で綴じられた形態をした冊子２０を搬送する搬送装置である。冊子２０のおもて表紙２１とうら表紙２２をＶ字状に開いた状態で支持する一対の表紙支持ガイド４１０ａ，４１０ｂと、冊子２０の中身２７を一側面で支持する中身支持部材４２０と、冊子２０の背２３を載置して当該冊子２０を搬送するベルトコンベヤ４３０とを備えている。【選択図】      図４
2010137558.tif 000002
【特許請求の範囲】
【請求項１】
中身を中心にして両側におもて表紙とうら表紙があり、これら中身、おもて表紙及びうら表紙が背で綴じられた形態をした冊子類の搬送装置であって、
前記冊子類のおもて表紙とうら表紙をＶ字状に開いた状態で支持する一対の表紙支持ガイドと、前記冊子類の中身を一側面で支持する中身支持部材と、前記冊子類の背を載置して当該冊子類を搬送するベルトコンベヤと、を備えたことを特徴とする冊子類の搬送装置。
【請求項２】
前記一対の表紙支持ガイドの少なくとも一方は他方に対して接近又は離間する方向へ移動自在となっており、且つ当該表紙支持ガイドを移動させる駆動モータを備え、前記表紙支持ガイドの移動をもって搬送対象となる冊子類の厚さに応じて各表紙支持ガイドの間隔を調整可能な構成であることを特徴とする請求項１に記載した冊子類の搬送装置。
【請求項３】
前記中身支持部材は、前記冊子類の中身を仮想の鉛直面に対して一方に傾いた状態で支持する構成としてあることを特徴とする請求項１又は２に記載した冊子類の搬送装置。
【請求項４】
前記表紙支持ガイドによってＶ字状に開いた状態で支持されている冊子類のおもて表紙とうら表紙を、内側から押圧して前記表紙支持ガイドへ押し付け固定する表紙押え部材を更に備えたことを特徴とする請求項１乃至３のいずれか一項に記載した冊子類の搬送装置。
【請求項５】
前記中身支持部材と対向する位置に設けられ、前記冊子類の中身に対して前記中身支持部材が支持する一側面とは反対の側面から軽く接触する補助ガイド部材を更に備えたことを特徴とする請求項１乃至４のいずれか一項に記載した冊子類の搬送装置。
【発明の詳細な説明】
【技術分野】
【０００１】
この発明は、本などの冊子類を表紙が開いた状態で搬送する冊子類搬送装置に関し、特にフィルムカバーを冊子類の表紙へ自動的に貼付けるフィルムカバー貼付けシステムに好適な冊子類の搬送装置（以下、単に「搬送装置」と称することもある）に関する。
なお、本明細書において「冊子類」又は「冊子」とは、本などのように中身を中心にして両側におもて表紙とうら表紙があり、これら中身、おもて表紙、うら表紙が背で綴じられた形態の紙製物品をいう。
【背景技術】
【０００２】
本などの冊子類の損傷を防ぐため、樹脂製フィルムからなるカバーを冊子類の表面に貼り付けることが行われている。この種の冊子類の保護に用いられるフィルムカバーとしては、例えば、特許文献１に開示されているようなものがある。
従来、冊子類の表面へのフィルムカバーの貼付け作業は、もっぱら手作業で行われていた。したがって、例えば、図書館から注文のあった大量の本に、フィルムカバーを貼り付けて納品するには、多くの作業員の手を借りて貼り付け作業を行わなければならず、きわめて非効率であった。また、最近では個人の購入者からもフィルムカバー貼付けサービスの希望が増えており、フィルムカバー貼付け作業の効率化を図りたいという要望が寄せられていた。
【０００３】
本発明者らはこのような事情に鑑みて、各種サイズの冊子類の表面に樹脂製のフィルムカバーを自動的に貼り付けるフィルムカバー貼付けシステムの開発を進めてきた。そして、当該フィルムカバー貼付けシステムに好適な冊子類の搬送装置を完成するに至った。
【先行技術文献】
【特許文献】
【０００４】
【特許文献１】特開平６−９２０６３号公報
【発明の概要】
【発明が解決しようとする課題】
【０００５】
すなわち、本発明は、各種サイズの冊子類の表面に樹脂製のフィルムカバーを自動的に貼り付けるフィルムカバー貼付けシステムに好適であって、冊子類の表紙を開いた状態で搬送して、当該表紙に貼り付けたフィルムカバーに対する各種作業を効率的に行えるようにした搬送装置の提供を目的とする。また、冊子類の表紙に貼り付けられたフィルムカバーの折り代が、冊子類の天・地・小口から張り出している状態の折込み完了前の工程中に、おもて表紙の折り代とうら表紙の折り代とが互いに貼り付いてしまうことを防止する搬送装置の提供も目的とする。
【課題を解決するための手段】
【０００６】
上記目的を達成するために、本発明は、中身を中心にして両側におもて表紙とうら表紙があり、これら中身、おもて表紙及びうら表紙が背で綴じられた形態をした冊子類の搬送装置であって、
冊子類のおもて表紙とうら表紙をＶ字状に開いた状態で支持する一対の表紙支持ガイドと、冊子類の中身を一側面で支持する中身支持部材と、冊子類の背を載置して当該冊子類を搬送するベルトコンベヤと、を備えたことを特徴とする。
このように、一対の表紙支持ガイドをもって冊子類のおもて表紙とうら表紙をＶ字状に開いた状態で支持するので、当該各表紙に貼り付けたフィルムカバーに対する各種作業を効率的に行うことができる。
【０００７】
本発明の搬送装置は、一対の表紙支持ガイドの少なくとも一方を他方に対して接近又は離間する方向へ移動自在とし、且つ当該表紙支持ガイドを移動させる駆動モータを備え、表紙支持ガイドの移動をもって搬送対象となる冊子類の厚さに応じて各表紙支持ガイドの間隔を調整可能な構成とすることができる。
【０００８】
ここで、中身支持部材は、冊子類の中身を仮想の鉛直面に対して一方に傾いた状態で支持する構成とすることが好ましい。このように冊子類の中身を傾けた状態で支持することで、冊子類の中身が自重によって常に傾斜方向へ倒れようとして中身支持部材に寄りかかった状態が形成されるため、冊子類の中身を一定の姿勢に安定させて搬送することが可能となる。
【０００９】
さらに、表紙支持ガイドによってＶ字状に開いた状態で支持されている冊子類のおもて表紙とうら表紙を、内側から押圧して表紙支持ガイドへ押し付け固定する表紙押え部材を備えた構成とすることもできる。
【００１０】
また、中身支持部材と対向する位置に設けられ、冊子類の中身に対して中身支持部材が支持する一側面とは反対の側面から軽く接触する補助ガイド部材を更に備えた構成としてもよい。
【発明の効果】
【００１１】
本発明の搬送装置によれば、各種サイズの冊子類の表面に樹脂製のフィルムカバーを自動的に貼り付けるフィルムカバー貼付けシステムに好適であって、冊子類の表紙を開いた状態で搬送して、当該表紙に貼り付けたフィルムカバーに対する各種作業を効率的に行うことが可能となる。
【図面の簡単な説明】
【００１２】
【図１】本発明の実施形態に係る搬送装置が組み込まれるフィルムカバー貼付けシステムの概要を説明するための図である。
【図２】同フィルムカバー貼付けシステムの全体構成図である。
【図３】同フィルムカバー貼付けシステムの動作を示す工程図である。
【図４】本発明の実施形態に係る搬送装置の正面図である。
【図５】本発明の実施形態に係る搬送装置の機構を説明するための構成図である。
【図６】本発明の実施形態に係る搬送装置を直列に繋げて配設した状態を示す構成図である。
【図７】図４に示した本発明の実施形態に係る搬送装置の変形例を示す正面図である。
【発明を実施するための形態】
【００１３】
以下、この発明の実施の形態について図面を参照して詳細に説明する。
本実施形態に係る搬送装置は、下記に示すフィルムカバー貼付けシステムに組み込まれ、冊子を表紙が開いた状態で搬送する機能を備えている。
【００１４】
〔フィルムカバー貼付けシステムの概要〕
まず、本実施形態に係る搬送装置が組み込まれるフィルムカバー貼付けシステムについて、図面を参照して概要を説明する。
図１（ａ）〜（ｃ）は、フィルムカバー貼付けシステムによるフィルムカバーの貼付け手順の概要を示している。
フィルムカバー（以下、フィルムということもある）１０は、柔軟性を有する透明な樹脂製フィルムからなり、片面に粘着剤が塗布されている。樹脂製フィルムは、粘着剤の塗布面に剥離紙が貼り付けてあり、帯状の状態でリールに巻回されている。フィルムカバー１０は、この帯状の樹脂製フィルムを剥離紙から剥がし、貼付け対象となる冊子２０のサイズに応じて切断した後、冊子２０の表面に貼り付けられる。
【００１５】
図１（ａ）に示すように、フィルム１０は、粘着面が冊子２０の表面にあたる「おもて表紙２１」「うら表紙２２」「背２３」の三面に、ジャケット３０の表面から貼り付けられる。ここで、冊子２０の表面における「小口２４」「天２５」「地２６」の各端縁からは、フィルム１０の折り代１２を張り出してある。
【００１６】
次に、図１（ｂ）に示すように、フィルム１０の折り代１２に対して、そのコーナー部分を切断するとともに、ジャケット３０の背３３を中間にしてその両近傍部分に切り込み１５が入れられる。
続いて、図１（ｃ）に示すように、冊子２０の小口２４の端縁から張り出したフィルム１０の折り代１２が、各表紙２１、２２の裏面側に折り込まれる。ジャケット３０の背３３部分には、切り込み１５によって折り代１２から切り離された背折り部１０ｃが、裏面側へ折り込まれる。さらに、冊子２０の天２５、地２６の端縁から張り出した折り代１２も、各表紙２１、２２の裏面側に折り込まれる。このようにして、冊子２０の表面がフィルムカバー１０によって被覆された形態が完成する。
【００１７】
図２は、フィルムカバー貼付けシステムの全体構成図、図３は、フィルムカバー貼付けシステムによりフィルムカバーを貼り付けていく各工程を示す流れ図である。
図２に示すように、フィルムカバー貼付けシステムは、次の各部、各装置を備えている。
（１）装置貼付け対象となる冊子２０の供給部１００
（２）供給された冊子２０の寸法測定装置１０１
（３）フィルムカバー用のフィルム１０を切断して供給するフィルム供給装置２００
（４）冊子２０の表面に対するフィルム１０の貼付け装置（表面貼付け装置３００）
（５）冊子２０を自動搬送する搬送装置４００
（６）ジャケット３０の背３３に折り込まれるフィルム１０の背折り部１０ｃを形成する背カット装置５１０と、フィルム１０のコーナー部分を円弧状に切断するコーナーカット装置５５０と、を含むフィルム部分カット装置５００
（７）冊子２０の小口２４の端縁でフィルム１０を折り返す小口折込み装置６００
（８）ジャケット３０の背３３に対して、背折り部１０ｃを端縁から裏面側に折り返す背折込み装置７００
（９）冊子２０の角部に残存するフィルム１０の突き出しをなくすコーナー仕舞装置８００
（１０）冊子２０の天２５、地２６の端縁でフィルム１０を裏面側に折り返す天地折込み装置９００
（１１）フィルムカバー１０が貼り付けられた冊子２０を排出する排出部９９９
【００１８】
次に、図３を参照して、フィルムカバー貼付けシステムによりフィルムカバーを貼り付けていく各工程の概要を説明する。
供給部１００からは、作業員の手作業をもって冊子２０が投入され、寸法測定装置１０１の第１測定部１１０に配置される。第１測定部１１０では、冊子２０の厚さと、冊子２０の背２３から小口２４までの長さとが計測される。次いで、冊子２０は第２測定部１２０まで搬送され、第２測定部１２０では、冊子２０の天２５、地２６間の寸法と、冊子２０の中身２７の厚さと、冊子２０の表紙の厚さとが計測される。寸法測定が終了した冊子２０は、フィルム供給装置２００の一部で、剥離紙１１を剥離しリールから切り出されたフィルムが、フィルムカバー１０として供給されるフィルム供給位置２０１の上方へと搬送される。
【００１９】
フィルムカバー貼付けシステムには、各種サイズの冊子類がランダムに供給されてくる。そこで、まず寸法測定装置１０１において供給されてきた冊子２０の寸法を測定し、この測定データに基づいて、下流に設置してある各装置について構成要素の位置や動作等を調整している。
【００２０】
フィルム供給装置２００では、帯状の樹脂製フィルムをリールから引き出し、粘着面に貼り付けてある剥離紙１１を剥離した後、寸法測定装置１０１からの寸法情報により、貼付け対象となる冊子２０の外形寸法に合わせて切断し、フィルム供給装置２００の後段部分であり、かつ切り出したフィルム１０を寸法測定装置１０１から搬送されてくる冊子２０と位置合わせして表面貼付け装置３００の準備段階とするフィルム供給位置２０１へ配置する。このようにフィルム供給位置２０１へ配置されたフィルムがフィルムカバー１０となる。
【００２１】
表面貼付け装置３００では、寸法測定装置１０１からの寸法情報により、フィルム供給位置２０１と冊子２０との位置関係を調整後、フィルムカバー１０に交差するように冊子２０を下降させながら、冊子２０の表面にフィルム１０を貼り付けていく。ここで、冊子２０の表面にあるおもて表紙２１、うら表紙２２、背２３の三面にフィルム１０が貼り付けられる。表面にフィルム１０が貼り付けられた冊子２０は、表面貼り付け装置３００の別形式の搬送装置から移送され、搬送装置４００により背カット装置５００へ搬送される。おもて表紙２１、うら表紙２２、背２３の三面にフィルム１０が貼り付けられた冊子２０は、例えば冊子２０を閉じる状態、つまりおもて表紙２１と中身２７とうら表紙２２がくっつく状態になると、天２５・地２６・小口２４から張り出したおもて表紙側の折り代１２と、同じ状態のうら表紙側の折り代１２とが接近しすぎて、お互い貼り付くこととなるので、おもて表紙２１及びうら表紙２２とは、折り代１２の折り込み完了までは、互いに接近させてはならない。
【００２２】
背カット装置５１０は、冊子２０の天２５、地２６から張り出すフィルム１０の折り代１２に対し、背２３の近傍から切り込み１５を入れて、ジャケット３０の背３３に折り込まれるフィルム１０の背折り部１０ｃを形成する。背折り部１０ｃが形成された冊子２０はコーナーカット装置５５０へ搬送される。
【００２３】
コーナーカット装置５５０は、冊子２０の表面縁部から張り出したフィルム１０のコーナー部分を円弧状に切断するとともに、切断したフィルム１０の切断片１６を回収する。フィルム１０のコーナー部分が切断された冊子２０は小口折込み装置６００へ搬送される。
【００２４】
小口折込み装置６００では、冊子２０の小口２４から張り出すフィルム１０の折り代１２を、各表紙２１、２２の小口２４端縁で折り返し、当該表紙２１、２２の裏面側へ貼り付ける。小口２４側のフィルム１０を折り込んだ後、冊子２０は背折込み装置７００へ搬送される。
【００２５】
背折込み装置７００では、背カット装置５１０で形成されたフィルム１０の背折り部１０ｃを、ジャケット３０の背３３に対して端縁から折り返し、当該背３３の裏面側へ貼り付ける。このとき、冊子２０の背２３とジャケット３０との間に隙間をつくり、その隙間から背折り部１０ｃをジャケット３０の裏面側へ折り返している。背折り部１０ｃを折り込んだ後、冊子２０はコーナー仕舞装置８００へ搬送される。
【００２６】
コーナー仕舞装置８００では、小口２４でフィルム１０を折り返したとき、冊子２０の角部にフィルム１０の折返し端が突き出して残存することがあるため、この折返し端を押し潰して角部の突き出しをなくす。冊子２０の角部にフィルム１０の突き出しが残存すると、冊子２０の所有者がその突き出しにより手や肌を引っ掻いて傷つくおそれがある。コーナー仕舞装置８００はそのような不都合を解消する機能を有している。フィルム１０の突き出しを無くした後、冊子２０は天地折込み装置９００へ搬送される。
【００２７】
天地折込み装置９００では、冊子２０の各表紙２１、２２の天２５、地２６から張り出すフィルム１０の折り代１２を、当該天２５、地２６の端縁で折り返し、表紙の裏面側へ貼り付ける。これにより冊子２０に対するフィルム１０の貼付けが完了する。フィルム１０の貼付けが完了した冊子２０は排出部９９９へと搬送され、排出部９９９から排出される。
【００２８】
〔搬送装置〕
次に、本発明の実施形態に係る搬送装置について、図面を参照して詳細に説明する。
既述したように本実施形態に係る搬送装置は、上述したフィルムカバー貼付けシステムに組み込まれ、冊子を表紙が開いた状態で搬送する機能を備えている。
【００２９】
フィルムカバー貼付けシステムは、図２に示したフィルム部分カット装置５００、小口折込み装置６００、背折込み装置７００、コーナー仕舞装置８００、天地折込み装置９００の各装置が独立した作業ブロックに配設されており、各作業ブロックに搬送装置４００がそれぞれ設置してある。各作業ブロックに設置した搬送装置４００は直列に配置され、順次、上流側の搬送装置４００から冊子が受け渡され、当該作業ブロックでの作業終了後に下流側の搬送装置４００へ受け渡す構成となっている。
【００３０】
図４乃至図６は、本実施形態に係る搬送装置を説明するための図である。
図４に示すように、搬送装置４００は、冊子２０の各表紙２１、２２をＶ字形に開いた状態で支持する一対の表紙支持ガイド４１０ａ、４１０ｂと、冊子２０の中身２７を一方の側面で支持する中身支持部材４２０と、冊子２０を搬送するベルトコンベヤ４３０とを備えている。
【００３１】
フィルムカバー貼付けシステムの本体１には、上面が斜めに傾斜した基台２が配設してあり、この基台２の上面に、表紙支持ガイド４１０ａ、４１０ｂを支持する一対のガイドテーブル４１１ａ、４１１ｂが設置されており、さらにこれらガイドテーブル４１１ａ、４１１ｂの中間部にベルトコンベヤ４３０が設置されている。
一対のガイドテーブル４１１ａ、４１１ｂのうち、一方のガイドテーブル４１１ａはガイドレール４１２を介して摺動自在となっており、他方のガイドテーブル４１１ｂは基台２に固定されている。
基台２にはテーブル駆動モータ４１３が組み込んであり、またガイドテーブル４１１ａの基部にはラック４１４が取り付けてある。そして、テーブル駆動モータ４１３の回転駆動軸に装着したピニオンギヤ４１５がラック４１４と噛み合っており、テーブル駆動モータ４１３の回転駆動力が、ピニオンギヤ４１５とラック４１４を介してガイドテーブル４１１ａに伝わり、同ガイドテーブル４１１ａがガイドレール４１２に沿って移動する構成となっている。
【００３２】
テーブル駆動モータ４１３は、既述した第１測定部１１０で測定した冊子２０の厚さデータ（図２、図３参照）に基づき、上流側から搬送されてくる冊子２０の厚さに応じてガイドテーブル４１１ａを移動させる。これにより、表紙支持ガイド４１０ａ、４１０ｂの間隔が逐次調整される。
【００３３】
一対の表紙支持ガイド４１０ａ、４１０ｂは、それぞれ支持枠４１６、４１６を介してガイドテーブル４１１ａ、４１１ｂに支持されている。ここで、各表紙支持ガイド４１０ａ、４１０ｂは、ベルトコンベヤ４３０の搬送面中央を基準にしてＶ字状に傾斜して配置してある。その開き角度は、ベルトコンベヤ４３０の搬送面中央を通る仮想法線に対して対称な一定の角度に設定してある。なお、支持枠４１６は、中間部で下部支持枠４１６ａと上部支持枠４１６ｂに２分割されており、ボルト等の締結具４１７で両支持枠４１６ａ、４１６ｂを連結した構成となっている。そして、上部支持枠４１６ｂは、締結具４１７を緩め当該締結具４１７を中心に回動させることができ、この回動操作をもって表紙支持ガイド４１０ａ、４１０ｂの開き角度を任意に調整可能となっている。
各表紙支持ガイド４１０ａ、４１０ｂの表面は平滑な平坦面となっており、この表面に冊子２０の表紙が配置されて、当該冊子２０の表紙を開いた状態で支持する。
【００３４】
ベルトコンベヤ４３０は、Ｖ字状に開いた表紙支持ガイド４１０ａ、４１０ｂの下端同士の中間部下方位置に搬送面４３０ａが配置されており、この搬送面４３０ａに冊子２０の背２３を載置した状態で当該冊子２０を搬送する。
図５に示すように、ベルトコンベヤ４３０は、搬送ベルト４３１が、複数の従動プーリ４３２、４３３、４３４と、コンベヤ駆動モータ４３５の回転駆動軸に装着された駆動プーリ４３６とに巻掛けられており、コンベヤ駆動モータ４３５の回転駆動力をもって搬送ベルト４３１を移送させる。複数の従動プーリ４３２、４３３、４３４は、そのうち一つの従動プーリ４３２が冊子２０の搬送軌道の上流端に、もう一つの従動プーリ４３３が同搬送軌道の下流端に配置してある。そして、これら二つの従動プーリ４３２、４３３の間で搬送ベルト４３１に冊子２０の背２３が載置され、搬送ベルト４３１の移動とともに当該冊子２０が搬送されていく。
【００３５】
ここで、冊子２０の背２３が載置されるベルトコンベヤ４３０の搬送面４３０ａは、基台２の傾斜に対応して傾いた状態に配置されている（図４参照）。このため、冊子２０の背２３から法線方向に起立して延びる中身２７は、鉛直面よりも一方に傾いた状態となる。
中身支持部材４２０は、このように傾いた状態の冊子２０の中身２７に対し、傾き方向にある一側面に接触してそれを支えている。
このように冊子２０の中身２７を傾けた状態で支持することで、冊子２０の中身２７が自重によって常に傾斜方向へ倒れようとして中身支持部材４２０に寄りかかった状態が形成されるため、冊子２０の中身２７を一定の姿勢に安定させて搬送することが可能となる。
【００３６】
もし仮に、冊子２０の中身２７を鉛直方向に起立させた状態で搬送しようとすると、冊子２０の中身２７を一枚の中身支持部材４２０で支えただけでは不安定であり、支持された一側面と対向する側面方向に中身２７が倒れてしまうおそれがある。これを防止するには冊子２０の中身２７を両側面でしっかり支持する必要が生じるため、構造が複雑化することは否めない。
【００３７】
中身支持部材４２０は、冊子２０の中身２７が接触する面（支持面４２０ａ）を摩擦抵抗の少ない平滑面としてあり、例えば、アクリル板やアルミ板で形成することができる。中身支持部材４２０の支持面４２０ａは、冊子２０の搬送軌道に沿って配置してあり、冊子２０の中身２７はこの支持面４２０ａをすべりながら搬送されていく。
【００３８】
本実施形態の搬送装置４００には、図４、図５に示すように第２の冊子検出センサ４４１と、第１の冊子検出センサ４４２が所定位置に設けてあり、これらのセンサ４４１、４４２からの検出信号をもってコンベヤ駆動モータ４３５の運転を制御している。
すなわち、図５に想像線（二点鎖線）で示すように第１の冊子検出センサ４４２が、上流から搬送されてきた冊子２０の先端縁を検出すると、その検出信号に基づきコンベヤ駆動モータ４３５が減速運転に切り替えられる。それと同時に、第１の冊子検出センサ４４２の検出信号に基づき第２の冊子検出センサ４４１の検出を可能状態にし、冊子２０が第２の冊子検出センサ４４１を遮り中は減速運転を継続する。続いて、第２の冊子検出センサ４４１を冊子２０の後端縁が通過して冊子２０による遮りが解除されると、第２の冊子検出センサ４４１は検知してコンベヤ駆動モータ４３５を停止させて、冊子２０をフィルムカバー貼付けシステムの各作業ブロックの所定位置へ配置する。
【００３９】
上述した構成の搬送装置４００は、図６に示すようにフィルムカバー貼付けシステムのフィルム部分カット装置５００、小口折込み装置６００、背折込み装置７００、コーナー仕舞装置８００、天地折込み装置９００の各装置が配設された各作業ブロックに設置してあり、それぞれの搬送装置４００は直列に繋がって、冊子２０を受け渡すようにして搬送していく。
【００４０】
ここで、背カット装置５１０、コーナーカット装置５５０、小口折込み装置６００、コーナー仕舞装置８００が配設された各作業ブロックに設置される搬送装置４００は、上述した構成に加えてさらに表紙押え部材４５０（図４参照）を備えている。
表紙押え部材４５０は、図示しない駆動シリンダをもって中身支持部材４２０と平行に往復移動する構成となっており、上方部位から冊子２０の中身２７と表紙２１、２２の中間にある隙間部分に侵入してきた表紙押え部材４５０が、内側から表紙２１、２２を押圧することで、冊子２０の表紙２１、２２を表紙支持ガイド４１０ａ、４１０ｂの表面に固定する。
表紙押え部材４５０が設けられた各作業ブロックでは、冊子２０の表紙２１、２２に貼り付けたフィルムに対して作業を行うため、当該冊子２０の表紙２１、２２が表紙支持ガイド４１０ａ、４１０ｂを基準に安定して位置決めされている必要があり、そのための表紙押さえ部材４５０が、当該各作業ブロックに配設された装置の機構要素と干渉しないように設けられている。表紙押え部材４５０は、冊子２０の表紙２１、２２を表紙支持ガイド４１０ａ、４１０ｂの表面に位置決めする機能を有している。
なお、背折込み装置７００と天地折込み装置９００が配設された作業ブロックに設置された搬送装置４００には、これら装置の機構要素に表紙押え部材４５０が干渉してしまうため表紙押え部材４５０を設けていない。ただし、これら各装置７００、９００は、表紙押え部材４５０に代わる冊子２０の表紙２１、２２の位置決め機構を個別に備えている。
【００４１】
上述した構成の搬送装置４００は、冊子２０の背２３をベルトコンベヤ４３０に載置し、冊子２０の各表紙２１、２２をＶ字形に開いた状態で表紙支持ガイド４１０により支持するとともに、中身支持部材４２０により冊子２０の中身２７を起立した状態で支持する。この状態で、ベルトコンベヤ４３０の駆動力をもって冊子２０を搬送していく。
また、各作業ブロックにおいては、図４に示すように冊子２０の各表紙２１、２２をＶ字状に開いた状態で冊子２０を支持したまま、所定の作業が実行される。
各作業ブロックにおける作業は、冊子２０の各表紙２１、２２に貼り付けたフィルム１０の折り代に対して、そのコーナー部分を切り取ったり、背の近傍部位に切り込みを入れたり、折り代を各表紙２１、２２の内側に折り込んだりする作業である。
冊子２０の各表紙２１、２２をＶ字状に開いた状態に支持する本実施形態の搬送装置４００は、これらの作業の効率化に寄与し、当該作業を行う各種装置の構造簡素化、制御の容易化、安定した運転の持続等に顕著な効果をもたらす。
【００４２】
なお、本発明は上述した実施形態に限定されるものではなく、種々の変形実施や応用実施が可能であることは勿論である。例えば、本発明の冊子類搬送装置は、図２及び図３に示したようなフィルムカバー貼付けシステムへの適用に限定されるものではなく、単体の装置として利用することも可能である。
【００４３】
また、図７に示すように、中身支持部材４２０と対向する位置に、冊子２０の中身２７に他方の側面から軽く接触して開きを防止する補助ガイド部材４６０を設けることもできる。補助ガイド部材４６０は、供給されてくる冊子２０の厚さ変化に変形もって柔軟に対応可能な材料（例えば、軟質のビニールシート）で製作することが好ましい。
【符号の説明】
【００４４】
１０：フィルムカバー（フィルム）、１０ｃ：背折り部、１１：剥離紙、１２：折り代、１５：切り込み、１６：切断片、
２０：冊子、２１：おもて表紙、２２：うら表紙、２３：背、２４：小口、天：２５、２６：地、２７：中身、３０：ジャケット、３３：背
１００：供給部、１０１：寸法測定装置、１１０：第１測定部、１２０：第２測定部、
２００：フィルム供給装置、２０１：フィルム供給位置、
３００：表面貼付け装置、
４００：搬送装置、４１０ａ，４１０ｂ：表紙支持ガイド、４１１ａ，４１１ｂ：ガイドテーブル、４１２：ガイドレール、４１３：テーブル駆動モータ、４１４：ラック、４１５：ピニオンギヤ、４１６：支持枠、４１６ａ：下部支持枠、４１６ｂ：上部支持枠、４１７：締結具、４２０：中身支持部材、４２０ａ：支持面、４３０：ベルトコンベヤ、４３０ａ：搬送面、４３１：搬送ベルト、４３２，４３３，４３４：従動プーリ、４３５：コンベヤ駆動モータ、４３６：駆動プーリ、４４１：第２の冊子検出センサ、４４２：第１の冊子検出センサ、４５０：表紙押え部材、４６０：補助ガイド部材、
５００：フィルム部分カット装置、５１０：背カット装置、５５０：コーナーカット装置、
６００：小口折込み装置、
７００：背折込み装置、
８００：コーナー仕舞装置、
９００：天地折込み装置、９９９：排出部
【図１】
2010137558.tif 000003
【図２】
2010137558.tif 000004
【図３】
2010137558.tif 000005
【図４】
2010137558.tif 000006
【図５】
2010137558.tif 000007
【図６】
2010137558.tif 000008
【図７】
2010137558.tif 000009